(57)【要約】【課題】タッチパネルを備えた調理器の利便性を向上する。【解決手段】調理操作を行う操作部１０と操作画面を表示する表示部２０とを備えた調理器１において、操作部１０がハードキー１１、表示部２０上に設けられる静電容量式のタッチパネル１５とを備え、ハードキー１１の操作によってタッチパネル１５の感度を調整する調整モードに移行するようにした。【選択図】図４
2012017882.tif 000002
【特許請求の範囲】
【請求項１】
調理操作を行う操作部と操作画面を表示する表示部とを備えた調理器において、前記操作部がハードキーと、前記表示部上に設けられる静電容量式のタッチパネルとを備え、前記ハードキーの操作によって前記タッチパネルの感度を調整する調整モードに移行することを特徴とする調理器。
【請求項２】
前記ハードキーの操作によって前記タッチパネルの感度を可変することを特徴とする請求項１に記載の調理器。
【請求項３】
前記ハードキーが、前記調整モードに移行させるボタンキーと、前記タッチパネルの感度を可変するダイヤルキーとを有することを特徴とする請求項２に記載の調理器。
【請求項４】
前記調整モードで前記タッチパネルに指先が触れた状態の時に前記タッチパネルの感度が可変されることを特徴とする請求項１に記載の調理器。
【請求項５】
前記タッチパネルに指先が触れた状態を前記ハードキーの操作により指示することを特徴とする請求項４に記載の調理器。
【発明の詳細な説明】
【技術分野】
【０００１】
本発明は、タッチパネルを備えた調理器に関する。
【背景技術】
【０００２】
従来の調理器は特許文献１に開示されている。この調理器は前面に操作パネルを備えている。操作パネルには操作部及び液晶パネル等の表示部が設けられる。操作部は複数のボタンキー等のハードキーと、表示部上に設けられるタッチパネルとを有している。ハードキーやタッチパネルの操作によって調理メニューの選択や調理開始の指示等の調理操作が行われる。表示部には操作画面が切り替えて表示されるとともに調理の進捗状況が表示される。
【０００３】
一般に用いられる静電容量式のタッチパネルは指先と表示面との接触による静電容量の変化を捉えて操作の有無を検出する。静電容量の変化を検出する感度は所定の範囲に設定されるが、使用者の指先の乾燥状態等によってタッチパネルが反応しにくくなる場合がある。
【０００４】
このため、特許文献２にはタッチパネルの感度を調整する調整モードを設けた電子機器が開示される。この電子機器は調整モードに移行するとタッチパネルの所望の感度を画面の接触によって選択することができる。これにより、使用者に応じてタッチパネルの感度を可変し、タッチパネルの操作性を向上させることができる。
【先行技術文献】
【特許文献】
【０００５】
【特許文献１】特許第３６４０７７０号公報（第４頁−第９頁、第７図）
【特許文献２】特開２０１０−２６８３３号公報（第５頁−第９頁、第３図）
【発明の概要】
【発明が解決しようとする課題】
【０００６】
調理器は調理場に設置されて調理時に使用されるため、使用者の指先が濡れているためにタッチパネルが反応しない場合や、タッチパネルの表面に油汚れ等が付着して反応しない場合がある。上記特許文献２に開示されたタッチパネルを調理器に搭載すると、タッチパネルが反応しにくい場合に感度を調整することができる。しかしながら、タッチパネルが反応しない場合には調整モードに移行できなくなるとともに感度の選択ができない。このため、調理器の利便性が悪い問題があった。
【０００７】
本発明は、タッチパネルを備えた調理器の利便性を向上することを目的とする。
【課題を解決するための手段】
【０００８】
上記目的を達成するために本発明は、調理操作を行う操作部と操作画面を表示する表示部とを備えた調理器において、前記操作部がハードキーと、前記表示部上に設けられる静電容量式のタッチパネルとを備え、前記ハードキーの操作によって前記タッチパネルの感度を調整する調整モードに移行することを特徴としている。
【０００９】
この構成によると、ハードキー及びタッチパネルの操作によって調理操作が行われる。機械式のハードキーによる所定の操作を行うと調整モードに移行し、タッチパネルの感度調整を行うことができる。ハードキーはタクトスイッチを有するボタンキー等により形成される。
【００１０】
また本発明は、上記構成の調理器において、前記ハードキーの操作によって前記タッチパネルの感度を可変することを特徴としている。この構成によると、調整モードに移行してハードキーによる所定の操作を行うと、タッチパネルの感度が可変される。
【００１１】
また本発明は、上記構成の調理器において、前記ハードキーが、前記調整モードに移行させるボタンキーと、前記タッチパネルの感度を可変するダイヤルキーとを有することを特徴としている。この構成によると、ボタンキーの押下によって調整モードに移行し、ダイヤルキーの回転によってタッチパネルの感度が可変される。
【００１２】
また本発明は、上記構成の調理器において、前記調整モードで前記タッチパネルに指先が触れた状態の時に前記タッチパネルの感度が可変されることを特徴としている。この構成によると、調整モードに移行してタッチパネルに指先が触れた状態になると、タッチパネルの感度が可変される。
【００１３】
また本発明は、上記構成の調理器において、前記タッチパネルに指先が触れた状態を前記ハードキーの操作により指示することを特徴としている。この構成によると、調整モードに移行してタッチパネルに指先を触れてハードキーによる所定の操作を行うと、タッチパネルが指先の接触を検出するように感度が可変される。
【発明の効果】
【００１４】
本発明によると、ハードキーの操作によって静電容量式のタッチパネルの感度を調整する調整モードに移行するので、タッチパネルが反応しない状態であってもタッチパネルの感度を調整することができる。従って、調理器の利便性を向上することができる。
【図面の簡単な説明】
【００１５】
【図１】本発明の実施形態の調理器を示す正面図
【図２】本発明の実施形態の調理器の構成を示すブロック図
【図３】本発明の実施形態の調理器の操作パネルを示す正面図
【図４】本発明の実施形態の調理器の調理開始時の動作を示すフローチャート
【図５】本発明の実施形態の調理器の調整モードの動作を示すフローチャート
【発明を実施するための形態】
【００１６】
以下に本発明の実施形態を図面を参照して説明する。図１は一実施形態の調理器を示す正面図である。調理器１は加熱室（不図示）の前面を開閉する扉２が設けられる。扉２には加熱室内を視認する窓部２ａが形成され、窓部２ａの上方には使用者が把持するハンドル２ｂが設けられる。窓部２ａの右方には詳細を後述する操作パネル９が設けられる。
【００１７】
図２は調理器１の構成を示すブロック図である。調理器１は操作パネル９の背面に設けられて各部を制御する制御部３を備えている。制御部３にはマグネトロン４、アンテナモータ５、温度センサ６、記憶部７、操作部１０、表示部２０が接続される。
【００１８】
マグネトロン４は高周波を発生し、加熱室に供給された高周波によって調理物が調理される。アンテナモータ５は加熱室に設けられるアンテナ（不図示）を駆動し、アンテナによって加熱室に供給される高周波が均一化される。温度センサ６は加熱室内の温度を検知し、温度センサ６の検知温度によって調理終了時期や異常加熱等を判別する。
【００１９】
記憶部７はＲＯＭ及びＲＡＭから成り、調理プログラム及び調理メニューのデータベースが記憶される。また、記憶部７は制御部３による演算の一時記憶を行う。操作部１０及び表示部２０は操作パネル９に設けられる。操作部１０は調理メニューの選択、調理条件の設定、調理開始の指示等の調理操作を行う。表示部２０は液晶パネル等から成り、操作画面が切り替えて表示されるとともに調理の進捗状況が表示される。
【００２０】
操作部１０は機械式のハードキー１１及び静電容量式のタッチパネル１５を備えている。機械式のハードキー１１は接点を有するタクトスイッチ等により形成される。静電容量式のタッチパネル１５は表示部２０の表面に設けられ、指先と表示部２０の表面との接触に伴う静電容量の変化を微弱電流により捉えて操作の有無を検出する。タッチパネル１５の感度は通常の人の静電容量に応じた所定の範囲に予め設定される。設定された閾値よりも検出電流が大きいときに指先が触れたと判断し、閾値よりも検出電流が小さいときに指先が触れていないと判断する。
【００２１】
図３は操作パネル９の正面図を示している。操作パネル９の上部には表示部２０が配され、下部には複数のハードキー１１が配される。ハードキー１１はタクトスイッチを有する複数のボタンキー１２及び回転自在のダイヤルキー１３から成っている。ボタンキー１２には手動加熱キー１２ａ、戻るキー１２ｂ、取消しキー１２ｃ、スタートキー１２ｄが含まれる。
【００２２】
手動加熱キー１２ａは調理条件の手動設定を行う操作画面への移行を指示する。戻るキー１２ｂは表示部２０に表示された操作画面を前画面に移行する指示を行う。取消しキー１２ｃは入力操作の取消しを指示する。スタートキー１２ｄは調理の開始を指示する。
【００２３】
図４は調理器１の調理開始時の動作を示すフローチャートである。ステップ＃１１では使用者がタッチパネル１５に触れたときに検出される電流値からタッチパネル１５の感度が低下しているか否かが判断される。タッチパネル１５の感度が低下していない場合はステップ＃１３に移行する。タッチパネル１５の感度が低下して検出電流が閾値の近傍になると誤検知の可能性がある。このため、ステップ＃１２で表示部２０により報知し、後述する調整モードでタッチパネル１５の感度調整を行うように促される。
【００２４】
ステップ＃１３ではハードキー１１に含まれる取消しキー１２ｃが長押しされたか否かが判断される。取消しキー１２ｃが長押しされていない場合はステップ＃１５に移行する。取消しキー１２ｃが長押しされると、ステップ＃１４で後述する調整モードに移行する。他のハードキー１１による操作によって調整モードに移行する指示を行ってもよい。
【００２５】
ステップ＃１５では調理条件が設定されたか否かが判断される。調理条件の設定はタッチパネル１５による所望の調理メニューの選択や、手動加熱キー１２ａの押下後にタッチパネル１５による調理条件の入力によって行われる。調理条件が設定されていない場合はステップ＃１１に戻り、ステップ＃１１〜＃１５が繰り返し行われる。
【００２６】
調理条件が設定されるとステップ＃１６に移行し、スタートキー１２ｄの押下による調理開始の指示があるまで待機する。スタートキー１２ｄが操作されるとステップ＃１７に移行し、設定された調理条件で調理が実行される。
【００２７】
図５は調整モードの動作を示すフローチャートである。調整モードには手動モードと自動モードとが設けられ、予め使用者によっていずれかが設定されている。手動モードは使用者が手動でタッチパネル１５の感度を調整し、自動モードは制御部３により自動的にタッチパネル１５の感度を調整する。
【００２８】
調整モードに移行するとステップ＃２０で手動モードか否かが判断される。手動モードが設定されている場合はステップ＃２１に移行する。ステップ＃２１ではダイヤルキー１３の回転操作が行われるまで待機する。ダイヤルキー１３の回転操作が行われると、ステップ＃２２で回転量に応じてタッチパネル１５の感度が可変される。
【００２９】
ステップ＃２３ではタッチパネル１５の感度を確認する確認画面が表示部２０に表示される。ステップ＃２４では戻るキー１２ｂの操作が行われたか否かが判断される。戻るキー１２ｂの操作が行われていない場合はステップ＃２５に移行する。ステップ＃２５では使用者が確認画面の確認位置に指先を触れてタッチパネル１５の操作が検出されたか否かが判断される。
【００３０】
タッチパネル１５の操作を検出していない場合はステップ＃２４に戻り、ステップ＃２４、＃２５が繰り返し行われる。これにより、戻るキー１２ｂまたはタッチパネル１５の操作が行われるまで待機する。タッチパネル１５が指先を触れても反応しない場合は感度調整が適切でないため、戻るキー１２ｂが操作される。そして、ステップ＃２１に戻り、再度ダイヤルキー１３の操作によってタッチパネル１５の感度が可変される。
【００３１】
タッチパネル１５の操作があったことが検出されると、ステップ＃２６に移行する。ステップ＃２６では感度調整の完了を示す調整完了画面が表示部２０に表示される。この時、調整完了画面にはタッチパネル１５の電流値の閾値と検出電流とを比較できる図等によって調整後の感度が表示される。また、調整完了画面上には調整モードを抜け出る「ＯＫ」ボタン及び感度の再調整を行う「キャンセル」ボタンが表示される。
【００３２】
ステップ＃２７では「ＯＫ」ボタンが押されたか否かが判断される。「ＯＫ」ボタンが押された場合は図４のフローチャートに戻る。「キャンセル」ボタンが押された場合はステップ＃２１に戻り、タッチパネル１５の感度が再調整される。
【００３３】
自動モードが設定されている場合はステップ＃２０の判断によってステップ＃３１に移行する。ステップ＃３１ではタッチパネル１５の感度を確認する確認画面が表示部２０に表示される。ステップ＃３２ではタッチパネル１５の操作があったことを検出したか否かが判断される。タッチパネル１５の操作を検出していない場合はステップ＃３３に移行する。
【００３４】
ステップ＃３３ではいずれかのハードキー１１が操作されたか否かが判断される。ハードキー１１が操作されていない場合はステップ＃３２に戻り、ステップ＃３２、＃３３が繰り返し行われる。
【００３５】
タッチパネル１５の感度が低く指先を触れても検出されない場合には、制御部３は指先が触れた状態か離れた状態かを判別できない。このため、使用者は確認画面の確認位置に指先を触れた状態で、別の指や別の手でハードキー１１の操作を行う。これにより、タッチパネル１５に指先が触れた状態を制御部３に指示し、ステップ＃３４に移行する。確認画面の確認位置の近傍に少なくとも一つのハードキー１１を配置すると、容易にハードキー１１による指示を行うことができる。
【００３６】
尚、タッチパネル１５に指先を触れるように促すメッセージ等を確認画面に表示し、ハードキー１１によるタッチパネル１５に指先が触れた状態の指示を省いてもよい。例えば、確認画面には、「５秒後までに指先を触れて１０秒後までそのままにして下さい」等のメッセージ及びプログレスバーによる時間経過の表示を行うとよい。これにより、メッセージを表示して５秒後から１０秒後までの間に感度調整を行うことができる。
【００３７】
ステップ＃３４では使用者の指先が触れた状態でタッチパネル１５の電流値の閾値が適切に可変される。ステップ＃３５ではステップ＃３５では感度調整の完了を示す調整完了画面が表示部２０に所定時間表示される。そして、前述の図４のフローチャートに戻る。
【００３８】
本実施形態によると、ハードキー１１の操作によって静電容量式のタッチパネル１５の感度を調整する調整モードに移行するので、使用者の指先が濡れている場合やタッチパネル１５の表面に油汚れがある場合にタッチパネル１５が反応しない状態であってもタッチパネル１５の感度を調整することができる。従って、調理器１の利便性を向上することができる。
【００３９】
また、ステップ＃２１、＃２２でハードキー１１であるダイヤルキー１３の操作によってタッチパネル１５の感度を可変するので、タッチパネル１５が反応しない状態であっても簡単にタッチパネル１５の感度を調整することができる。
【００４０】
また、調整モードに移行させるボタンキー１２と、タッチパネル１５の感度を可変するダイヤルキー１３とを有するので、調整モードへの移行時及び調整モード中の操作性を向上することができる。
【００４１】
また、ステップ＃３４では調整モードでタッチパネル１５に指先が触れた状態の時にタッチパネル１５の感度が可変されるので、制御部３によって自動的に感度を調整することができる。
【００４２】
また、ステップ＃３３でタッチパネル１５に指先が触れた状態をハードキー１１の操作により指示するので、タッチパネル１５が反応しない状態でも指先が触れたことを制御部３に対して簡単に指示することができる。
【００４３】
本実施形態において、高周波により調理物を加熱しているが、熱風や蒸気によって調理物を加熱する調理器であってもよい。
【産業上の利用可能性】
【００４４】
本発明によると、タッチパネルを備えた調理器に利用することができる。
【符号の説明】
【００４５】
１    調理器
２    扉
３    制御部
４    マグネトロン
５    アンテナモータ
６    温度センサ
７    記憶部
９    操作パネル
１０    操作部
１１    ハードキー
１２    ボタンキー
１３    ダイヤルキー
１５    タッチパネル
２０    表示部
【図１】
2012017882.tif 000003
【図２】
2012017882.tif 000004
【図３】
2012017882.tif 000005
【図４】
2012017882.tif 000006
【図５】
2012017882.tif 000007